(57)【要約】【課題】表示される画像の視認性をより向上させた透過型スクリーンを提供する。【解決手段】映像源から投射された映像光が投影される、縦横比が１：５〜１：２５の第１スクリーンシートと、前記第１スクリーンシートに投影された映像光を観察側に向けて出光する、縦横比が１：５〜１：２５の第２スクリーンシートと、が積層された透過型スクリーン２０であって、積層された前記第１スクリーンシート及び前記第２スクリーンシートは、横方向に沿って湾曲し、映像光の出射側に凸となる二次元の曲面形状を有する。【選択図】図３
2018025620.tif 000002
【特許請求の範囲】
【請求項１】
映像源から投射された映像光が投影される、縦横比が１：５〜１：２５の第１スクリーンシートと、前記第１スクリーンシートに投影された映像光を観察側に向けて出光する、縦横比が１：５〜１：２５の第２スクリーンシートと、が積層された透過型スクリーンであって、
積層された前記第１スクリーンシート及び前記第２スクリーンシートは、横方向に沿って湾曲し、映像光の出射側に凸となる二次元の曲面形状を有すること、
を特徴とする透過型スクリーン。
【請求項２】
請求項１に記載の透過型スクリーンにおいて、
前記第１スクリーンシートは、投影された映像光を所望の出光角に屈折させて前記第２スクリーンシート側に出光させること、
を特徴とする透過型スクリーン。
【請求項３】
請求項１又は請求項２に記載の透過型スクリーンにおいて、
前記第２スクリーンシートは、前記第１スクリーンシートに投影された映像光を観察側へ向けて拡散させること、
を特徴とする透過型スクリーン。
【請求項４】
請求項１から請求項３までのいずれか１項に記載の透過型スクリーンと、
前記透過型スクリーンを取付け可能な筐体と、
前記透過型スクリーンに映像光を投射するプロジェクターと、
を備える映像表示装置。
【発明の詳細な説明】
【技術分野】
【０００１】
本発明は、透過型スクリーン及びこれを備えた映像表示装置に関する。
【背景技術】
【０００２】
従来、プロジェクターから出力された映像光をスクリーンの背面側に投射して、観察側に映し出す映像表示装置が知られている。この種の映像表示装置には、フレネルレンズシートとレンチキュラーレンズシートとを積層した透過型スクリーンが用いられている（例えば、特許文献１参照）。
【先行技術文献】
【特許文献】
【０００３】
【特許文献１】特開２００４−９４１４７号公報
【発明の概要】
【発明が解決しようとする課題】
【０００４】
近年、透過型スクリーンを備えた映像表示装置を、小売店等の商品の陳列棚に設置し、商品に関する説明文、価格等の商品情報に関する画像を透過型スクリーンに映し出す利用形態がある。
このような利用形態においては、顧客に対する商品の訴求効果を高めるため、透過型スクリーンに表示される画像の視認性をより向上させることが求められている。
【０００５】
本発明の課題は、表示される画像の視認性をより向上させた透過型スクリーン及び映像表示装置を提供することにある。
【課題を解決するための手段】
【０００６】
本発明は、以下のような解決手段により、課題を解決する。なお、理解を容易にするために、本発明の実施形態に対応する符号を付して説明するが、これに限定されるものではない。また、符号を付して説明した構成は、適宜改良してもよいし、少なくとも一部を他の構成物に代替してもよい。
・第１の発明は、映像源から投射された映像光がシート面に投影される、縦横比が１：５〜１：２５の第１スクリーンシート（２１）と、前記第１スクリーンシートに投影された映像光を観察側に向けて出光する、縦横比が１：５〜１：２５の第２スクリーンシート（２２）と、が積層された透過型スクリーンであって、積層された前記第１スクリーンシート及び前記第２スクリーンシートは、横方向に沿って湾曲し、映像光の出射側に凸となる二次元の曲面形状を有することを特徴とする透過型スクリーン（２０）である。
・第２の発明は、第１の発明の透過型スクリーンにおいて、前記第１スクリーンシート（２１）は、投影された映像光を所望の出光角に屈折させて前記第２スクリーンシート（２２）側に出光することを特徴とする透過型スクリーン（２０）である。
・第３の発明は、第１の発明又は第２の発明の透過型スクリーンにおいて、前記第２スクリーンシート（２２）は、前記第１スクリーンシート（２１）に投影された映像光を観察側へ向けて拡散させることを特徴とする透過型スクリーン（２０）である。
・第４の発明は、第１の発明から第３の発明までのいずれかの発明の透過型スクリーン（２０）と、前記透過型スクリーンを取付け可能な筐体（１０）と、前記透過型スクリーンに映像光を投射するプロジェクター（３０）とを備える映像表示装置（１）である。
【発明の効果】
【０００７】
本発明によれば、表示される画像の視認性をより向上させた透過型スクリーン及び映像表示装置を提供することができる。
【図面の簡単な説明】
【０００８】
【図１】実施形態の投射型表示装置１の構成を示した図である。
【図２】図１（ｂ）のＡ−Ａ線における断面図である。
【図３】図１（ｂ）のＢ−Ｂ線における断面図である。
【図４】図１（ｃ）のＣ−Ｃ線における断面図である。
【図５】透過型スクリーン２０の分解斜視図である。
【図６】透過型スクリーン２０の層構成を説明する図である。
【図７】スクリーン保持溝１３の形状を説明する模式図である。
【図８】ベゼル部１１へのスクリーン２０の取り付け手順を説明する平面図である。
【発明を実施するための形態】
【０００９】
以下、図面を参照しながら本発明の実施形態について説明する。なお、本実施形態の図面において、部材の大きさ、比率等は、必要に応じて変更又は誇張されている。
また、以下に説明する図面には、ＸＹＺによる二軸又は三軸の座標系を記載した。この座標系は、透過型スクリーン２０の使用状態において、画面上下方向（鉛直方向）をＺ方向、画面左右方向（水平方向）をＸ方向、厚み方向（奥行き方向）をＹ方向とする。
【００１０】
図１は、本実施形態の投射型表示装置１の構成を示した図である。図１（ａ）は、投射型表示装置１の斜視図である。図１（ｂ）は、投射型表示装置１の正面図である。図１（ｃ）は、投射型表示装置１の左側面図である。図２は、図１（ｂ）のＡ−Ａ線における断面図である。図３は、図１（ｂ）のＢ−Ｂ線における断面図である。図４は、図１（ｃ）のＣ−Ｃ線における断面図である。図５は、透過型スクリーン２０の分解斜視図である。図６は、透過型スクリーン２０の層構成を説明する図である。
【００１１】
図１（ａ）に示すように、本実施形態の投射型表示装置（映像表示装置）１は、筐体１０と、透過型スクリーン（以下、「スクリーン」ともいう）２０と、プロジェクター３０（図２参照）とを備える。
筐体１０は、スクリーン２０を固定可能な構造体であり、図１（ａ）に示すように、全体が細長い箱枠形に形成されている。筐体１０の内部には、図２に示すように、スクリーン２０、プロジェクター３０等が収納されている。
筐体１０は、図２に示すように、映像光の観察側（前面側）にベゼル部１１を備え、背面側に裏蓋１５を備える。
【００１２】
ベゼル部１１は、スクリーン２０を、左右両辺及び上辺が伸縮可能な状態で保持する部分である。ベゼル部１１は、図２に示すように、前枠部１２と、スクリーン保持溝１３とを備える。
前枠部１２は、スクリーン２０の４辺を支持すると共に、スクリーン２０を観察側に露出させる部分である。前枠部１２は、図３に示すように、平面視において、映像光の出射側に凸となる二次元の曲面形状を有する。また、前枠部１２は、開口１２ａを備える。開口１２ａは、図１（ｂ）に示すように、正面視において、細長い矩形状に形成されている。前枠部１２の内側（プロジェクター３０側）には、ネジ１４１（後述）を嵌合可能な雌ネジ（不図示）が形成されている。ネジ１４１は、スクリーン保持枠１４を筐体１０に取り付けるための部品である。
【００１３】
スクリーン保持溝１３は、スクリーン２０の下辺が嵌め込まれる溝である。スクリーン保持溝１３の溝幅は、スクリーン２０の厚みよりもわずかに大きな寸法となるように設定されている。また、スクリーン保持溝１３は、後述するように、映像光の出射側に凸となる二次元の曲面形状を有する。
【００１４】
筐体１０は、図３に示すように、スクリーン２０の背面側に、スクリーン保持枠１４を備える。スクリーン保持枠１４は、スクリーン２０を固定するための部材である。スクリーン保持枠１４は、図４に示すように、細長い矩形状の開口１４ａと、この開口１４ａの四方を囲む外枠部１４ｂとから構成される。図２に示すように、プロジェクター３０から投射された映像光は、スクリーン保持枠１４の開口１４ａを通過して、スクリーン２０へ到達する。また、スクリーン保持枠１４は、図３に示すように、スクリーン保持溝１３と同様に、映像光の出射側に凸となる二次元の曲面形状を有する。スクリーン保持枠１４の外枠部１４ｂには、ネジ１４１が貫通する孔部（不図示）が形成されている。なお、スクリーン２０の筐体１０への取り付けについては、後述する。
【００１５】
スクリーン２０は、図５に示すように、第１スクリーンシート２１と第２スクリーンシート２２とが積層されたシート状の光学部材である。なお、図５に示すスクリーン２０は、筐体１０に取付ける前の状態（平板状）を示している。また、以下の説明において、第１スクリーンシート２１、第２スクリーンシート２２を総称して「シート」ともいう。
【００１６】
第１スクリーンシート２１は、プロジェクター３０から投射された映像光が投影される光学シートである。第１スクリーンシート２１は、投影された映像光を所望の出光角に屈折させて第２スクリーンシート側に出光させる機能を有する。第１スクリーンシート２１は、スクリーン２０の背面側（プロジェクター３０側）に配置される。
【００１７】
第１スクリーンシート２１は、図６に示すように、映像光の入光側（−Ｙ側）から順に、拡散層２１１、基材層２１３、フレネルレンズ層２１２を備える。
拡散層２１１は、入射した映像光を拡散させる層である。
フレネルレンズ層２１２は、光屈折層として機能する層である。フレネルレンズ層２１２は、図５に示すように、略三角断面のプリズムが平行に複数配列されたリニアフレネルレンズとして構成されている。なお。フレネルレンズ層２１２は、サーキュラーフレネルレンズとして構成されていてもよい。フレネルレンズ層２１２は、例えば、アクリル樹脂、ポリエステル樹脂、ポリエチレン樹脂、ポリカーボネート樹脂、ポリエチレンテレフタレート樹脂等の光透過性を有する樹脂により形成される。
【００１８】
基材層２１３は、拡散層２１１及びフレネルレンズ層２１２を支持するための層である。基材層２１３は、例えば、ポリエチレンテレフタレート樹脂等より形成される。
上記各層により構成される第１スクリーンシート２１は、全体として、およそ０．３１〜０．３６ｍｍ程度の厚さに形成される。
【００１９】
第２スクリーンシート２２は、第１スクリーンシート２１に投影された映像光を観察側へ向けて拡散させる光学シートである。第２スクリーンシート２２は、第１スクリーンシート２１側から入射した映像光のコントラストを上げると共に、映像光を観察側に向けて拡散させる機能を有する。第２スクリーンシート２２は、スクリーン２０の前面側（開口１２ａ側）に配置される。
【００２０】
第２スクリーンシート２２は、図６に示すように、映像光の入射側から順に、光制御層２２１、接着層２２３、拡散層２２２、着色層２２５、ハードコート層２２４を備える。
光制御層２２１は、第１スクリーンシート２１側から入射した映像光を散乱させて、上下方向（Ｚ方向）及び左右方向（Ｘ方向）の広い範囲に向けて出射する層である。光制御層２２１は、光透過部２２１ａと、光吸収部２２１ｂと、を備える。
【００２１】
光透過部２２１ａは、入射した映像光を透過させる部分である。光透過部２２１ａは、画面左右方向（Ｘ方向）に沿って延在し、且つ画面上下方向（Ｚ方向）に沿って複数配列されている。光透過部２２１ａは、図６に示すように、第２スクリーンシート２２の厚さ方向（Ｙ方向）における断面形状が、出光側を上底とし、入光側と下底とする（出光側が短辺、入光側が長辺となる）台形形状となる。なお、光透過部２２１ａの入光面側には基材層（不図示）が形成されている。
【００２２】
光吸収部２２１ｂは、入射した光の一部を反射し且つ迷光を吸収する部分である。光吸収部２２１ｂは、図６に示すように、隣接する光透過部２２１ａとの間の谷部分に形成されている。光吸収部２２１ｂは、着色されている。光吸収部２２１ｂは、光透過部２２１ａよりも屈折率の小さい材料により形成されている。光吸収部２２１ｂは、画面左右方向（Ｘ方向）に沿って延在し、且つ図６に示すように、画面上下方向（Ｙ方向）に沿って複数配列されている。
【００２３】
光吸収部２２１ｂは、図６に示すように、第２スクリーンシート２２の厚さ方向（Ｙ方向）における断面形状が、楔形状となる。ここで、楔形状とは、一方の端部の幅が広く、他方に向けて次第に幅が狭くなる形状をいい、三角形、台形等を含む。光吸収部２２１ｂは、楔形状の斜面部分が映像光の全反射面となる。光吸収部２２１ｂの斜面部分で全反射した映像光は、拡散層２２２側に出射する。なお、本実施形態の光吸収部２２１ｂは、光制御層２２１の厚さ方向（Ｙ方向）の垂線に対する楔形状の斜面部分の角度θ１（上側）及びθ２（下側）が同じである。
【００２４】
拡散層２２２は、光制御層２２１により画面上下方向に拡散された映像光を更に拡散させる層である。拡散層２２２は、接着層２２３を介して光制御層２２１と接合されている。
ハードコート層２２４は、第２スクリーンシート２２の表面を高硬度化して保護する層である。本実施形態のハードコート層２２４において、映像光の出光側は鏡面であるが、用途によっては拡散面であってもよい。ハードコート層２２４は、例えば、硬化性樹脂組成物の硬化物により形成される。なお、ハードコート層２２４の代わりに、防眩層又は反射防止層を設けてもよい。
【００２５】
着色層２２５は、外光吸収層機能を有し、コントラストを向上させるための層である。着色層２２５は、例えば、スチレンメタクリル酸共重合体等より形成される。拡散層２２２、ハードコート層２２４及び着色層２２５は、一体の拡散板として構成される。この拡散板は、約１．６ｍｍ程度の厚さに形成される。
上記各層により構成される第２スクリーンシート２２は、全体として、約２ｍｍ前後の厚さに形成される。
第１スクリーンシート２１と第２スクリーンシート２２の対向するシート面は、それぞれ下辺（下側の長辺）の略中央部において、１箇所に配置された両面粘着テープ（不図示）により接合されている。
【００２６】
上記のように構成された透過型スクリーン２０において、プロジェクター３０から第１スクリーンシート２１に向けて映像光が投射されると、映像光は、第１スクリーンシート２１の拡散層２１１で結像した後、フレネルレンズ層２１２で最適な出光角に屈折され、第２スクリーンシート２２側に出光する。
第１スクリーンシート２１から出光した映像光は、第２スクリーンシート２２の光制御層２２１で散乱され、上下方向（Ｚ方向）及び左右方向（Ｘ方向）の広い範囲から出射する。光制御層２２１から出射した映像光は、第２スクリーンシート２２の出光面に画像として映し出される。
【００２７】
本実施形態の第１スクリーンシート２１及び第２スクリーンシート２２は、平板状の場合において、縦横比がおよそ１：２１となるように形成されている。例えば、各シートの横寸法（画面左右方向の寸法）を１１９８ｍｍ、縦寸法（画面上下方向の寸法）を５７ｍｍとした場合、縦横比は、およそ１：２１となる。なお、各レンズシートの縦横比は、１：５〜１：２５の範囲とすることが好ましい。
このような細長い矩形状のスクリーン２０を備えた投射型表示装置１は、例えば小売店等において、商品の陳列棚に設置される。スクリーン２０には、陳列棚に並べられた商品に関する説明文、価格等の商品情報に関する画像が映像光により映し出される。
【００２８】
スクリーン２０に表示された画像は、図１（ｂ）に示すように、投射型表示装置１の正面から視認することができる。また、筐体１０の前枠部１２は、映像光の出射側に凸となる二次元の曲面形状を有するため、観察者は、図１（ｃ）に示すように、開口１２ａの側面方向又は斜め方向から、スクリーン２０に表示された画像の一部を視認することができる。
【００２９】
プロジェクター３０は、映像光をスクリーン２０の背面側へ投射する装置である。プロジェクター３０から投射された映像光は、第１スクリーンシート２１のシート面に投影される。第１スクリーンシート２１のシート面に投影され映像光は、第２スクリーンシート２２において観察側に向けて拡散され、スクリーン２０のスクリーン面に結像する。観察者は、スクリーン２０に映し出された映像光を、筐体１０の前面側に形成された開口１２ａから見ることができる。本実施形態において、プロジェクター３０は、映像光の光軸がスクリーン２０の軸線（投射面の中心と直交する線）と一致するように配置されている。
【００３０】
次に、ベゼル部１１に形成されたスクリーン保持溝１３の形状及びベゼル部１１へのスクリーン２０の取り付けについて説明する。
図７は、ベゼル部１１に形成されたスクリーン保持溝１３の形状を説明する模式図である。図８は、ベゼル部１１へのスクリーン２０の取り付け手順を説明する図である。図８（ａ）は、ベゼル部１１へのスクリーン２０の取り付け手順を説明する断面図である。図８（ｂ）は、図８（ａ）の部分断面図である。
【００３１】
図７に示すように、スクリーン保持溝１３は、Ｘ−Ｙ平面において、プロジェクター３０（不図示）から投射される映像光の光軸Ａと光軸上で直交する軸Ｂを中心として、映像光の出射側に凸となる二次元の円弧形状となるように形成されている。二次元の円弧形状は、軸Ｂを中心とする半径ｒの円弧となるように形成される。この半径ｒは、ベゼル部１１に形成された開口１２ａを正面から見たときの幅Ｗを１としたときに、０．６〜１．８の範囲とすることが望ましい。
【００３２】
本実施形態のように、商品の陳列棚等に設置されるスクリーン２０の場合、半径ｒは、例えば３００〜１０００ｍｍの範囲が想定される。この場合、突出し量Ｌ（図１（ｃ）参照）は、１０〜３５０ｍｍ、画面幅は２６５〜１３００ｍｍ程度となる。スクリーン２０の半径ｒを上記の範囲に設定し、Ｘ方向の画面幅を７４０ｍｍより広くする場合、画面の全体の輝度バランスを向上させるため、本実施形態の第１スクリーンシート２１（スクリーン２０）のように、フレネルレンズ層２１２を備えた構成とすることが望ましい。
【００３３】
このように、スクリーン保持溝１３は、図７に示すように、横方向に沿って湾曲し、映像光の出射側に凸となる二次元の円弧形状となる。そのため、平板状のスクリーン２０をスクリーン保持溝１３に嵌め込むと、スクリーン２０は、図３に示すように、スクリーン保持溝１３の形状に沿って湾曲する。これにより、スクリーン２０は、横方向に沿って湾曲し、映像光の出射側に凸となる二次元の円弧形状となる。
【００３４】
ベゼル部１１にスクリーン２０を取り付けるには、図８（ａ）に示すように、筐体１０の背面側からスクリーン２０を挿入し、スクリーン２０の下辺をベゼル部１１のスクリーン保持溝１３に嵌め込む。次に、筐体１０の背面側からスクリーン保持枠１４を挿入し、スクリーン２０の背面側に当接させる。
【００３５】
次に、図８（ｂ）に示すように、スクリーン保持枠１４の端部（後述する４隅の一つ）において、スクリーン保持枠１４とベゼル部１１との間にスペーサ１４２を挟み込む。そして、スクリーン保持枠１４の外枠部１４ｂに形成された孔部（符号略）にネジ１４１を挿入し、ベゼル部１１（前枠部１２）の内側に形成された雌ネジ（不図示）と嵌合させ、締結することにより、スクリーン保持枠１４をベゼル部１１に固定することができる。なお、ネジ１４１は、図４に示すように、スクリーン保持枠１４の４隅に取り付けられる。
これにより、スクリーン２０の４辺とスクリーン保持枠１４の外枠部１４ｂ（図２参照）とが当接した状態で、スクリーン２０をベゼル部１１に保持させることができる。
なお、スクリーン保持枠１４をベゼル部１１に取り付ける構造は、上記例に限定されない。例えば、スクリーン保持枠１４とベゼル部１１との間をＬ字形の金具を用いて連結してもよい。
【００３６】
このように、スクリーン２０をスクリーン保持溝１３に嵌め込み、その背面側をスクリーン保持枠１４で固定することにより、スクリーン２０をベゼル部１１（筐体１０）に保持させることができる。スクリーン保持溝１３は、図６に示すように、映像光の出射側に凸となる二次元の円弧形状となるため、平板状のスクリーン２０も、スクリーン保持溝１３に嵌め込まれることによって、同じ映像光の出射側に凸となる二次元の円弧形状となる。また、スペーサ１４２の厚みを、スクリーン２０と同じか、０．１〜０．５ｍｍ程度厚くすることにより、スクリーン保持枠１４によるスクリーン２０の過剰な拘束が抑制されるため、スクリーン２０を左右両辺及び上辺が伸縮可能な状態で保持させることができる。
【００３７】
以上説明したように、本実施形態の投射型表示装置１において、スクリーン２０は、映像光の出射側に凸となる二次元の円弧形状を有する。そのため、観察者は、投射型表示装置１の正面だけでなく、側面方向、上下方向等から、スクリーン２０に表示された画像を視認することができる。また、スクリーン２０は、画面の横方向において同じ曲面を有するため、より均一な画像を表示することができる。したがって、本実施形態のスクリーン２０においては、表示される画像の視認性をより向上させることができる。
また、本実施形態のスクリーン２０を備えた投射型表示装置１は、表示される画像の視認性をより向上させることができるため、顧客に対する商品の訴求効果を高めることができる。
【００３８】
本実施形態のスクリーン２０において、第２スクリーンシート２２は、映像光を上下方向（Ｚ方向）及び左右方向（Ｘ方向）の広い範囲に拡散する。そのため、観察者がスクリーン２０を上側から見下ろしたとき（例えば、陳列棚の下段）又は下側から見上げたとき（例えば、陳列棚の上段）の視認性を向上させることができる。また、第２スクリーンシート２２は、断面が台形形状且つ画面左右方向（Ｘ方向）に沿って延在する光吸収部２２１ｂを備える。これによれば、スクリーン２０の上方から下方に向けて照射される照明光が吸収されるため、表示される画像のコントラストの低下を抑制することができる。
【００３９】
以上、本発明の実施形態について説明したが、本発明は上述した実施形態に限定されるものではない。本発明は、後述する変形形態のように種々の変形や変更が可能であって、それらも本発明の技術的範囲内である。また、本実施形態に記載した効果は、本発明から生じる最も好適な効果を列挙したに過ぎず、本実施形態に記載した効果に限定されない。更に、上述した本実施形態及び後述する変形形態は、適宜組み合わせて用いることもできるが、詳細な説明は省略する。
【００４０】
（変形形態）
本実施形態では、図６に示すように、スクリーン２０の第１スクリーンシート２１がフレネルレンズ層２１２を備え、第２スクリーンシート２２が光制御層２２１を備える構成について説明したが、これに限定されない。図７に示す半径ｒが１０００ｍｍを超えるような場合、第１スクリーンシート２１を拡散シートにより構成してもよい。その場合の第１スクリーンシート２１は、例えば、アクリル樹脂、ポリエステル樹脂、ポリエチレン樹脂、ポリカーボネート樹脂、ポリエチレンテレフタレート樹脂等の光透過性を有する樹脂に、拡散剤を混入させた光拡散シートにより構成される。拡散剤としては、例えば、アクリル樹脂微粒子等の有機系微粒子、シリカ微粒子等の無機系微粒子を用いることができる。拡散剤として、これらの微粒子のうちの１種又は複数種を樹脂に含有させることができる。なお、スクリーン２０の半径ｒが３００ｍｍ程度であっても、画面幅が小さい場合には、第１スクリーンシート２１を拡散シートにより構成してもよい。
【００４１】
また、第１スクリーンシート２１を拡散シートにより構成した場合に、第２スクリーンシート２２を、複数のシリンドリカルレンズを備えたレンチキュラーレンズシートにより構成してもよい。このレンチキュラーレンズシートにおいて、複数のシリンドリカルレンズは、その長手方向が画面左右方向（Ｘ方向）と一致するように画面上下方向（Ｚ方向）に沿って配列される。各シリンドリカルレンズは、映像光を上下方向（Ｚ方向）に拡散する機能を有する。
【００４２】
本実施形態では、図７に示すように、スクリーン保持溝１３を、映像光の出射側に凸となる二次元の円弧形状となるように形成した例について説明したが、これに限定されない。スクリーン保持溝１３は、映像光の出射側に凸となる二次元の曲面形状であればよい。例えば、スクリーン保持溝１３を、映像光の出射側に凸となる二次元の楕円形状となるように形成してもよい。
【００４３】
本実施形態では、平板状のスクリーン２０をスクリーン保持溝１３に嵌め込み、映像光の出射側に凸となる二次元の円弧形状とする例について説明したが、これに限定されない。スクリーン２０を、映像光の出射側に凸となる二次元の円弧形状となるように成形し、その状態でベゼル部１１（筐体１０）に取り付けてもよい。
【００４４】
本実施形態では、スクリーン保持枠１４の４隅に取り付けたネジ１４１によりベゼル部１１に固定した例について説明したが、これに限定されない。スクリーン保持枠１４の外枠部１４ｂにネジ１４１を挿入する孔部（不図示）を５か所以上形成し、これらの孔部に挿入したネジ１４１によりスクリーン保持枠１４をベゼル部１１に固定してもよい。その場合、孔部は、スクリーン保持枠１４の外枠部１４ｂに等間隔で形成することが好ましい。
【００４５】
本実施形態では、図６に示すように、光制御層２２１（第２スクリーンシート２２）の光吸収部２２１ｂにおいて、光制御層２２１の厚さ方向（Ｙ方向）の垂線に対する楔形状の斜面部分の角度θ１（上側）及びθ２（下側）を同じとした例について説明したが、これに限定されない。例えば、投射型表示装置１が陳列棚の上段に配置される場合、下側の角度θ２を大きくすることにより、透過光の成分を増やすことができるため、観察者が下側から陳列棚の上側を見上げたときの視認性を高めることができる。また、投射型表示装置１が陳列棚の下段に配置される場合、上側の角度θ１を小さくすることにより、より多くの映像光を上方に向けて出射させることができるため、観察者が上側から陳列棚の下段を見下ろしたときの視認性を高めることができる。
なお、投射型表示装置１が陳列棚の中段（観察者のほぼ目線の位置）に配置される場合は、本実施形態のように、角度θ１及びθ２を同じとすればよい。
【００４６】
本実施形態では、スクリーン２０の全体が二次元の曲面形状を有する例について説明したが、これに限定されない。例えば、画面の中央付近を平坦面とし、画面の左右方向の端部を二次元の曲面形状とした構成であってもよい。また、スクリーン２０は、一部に三次元の曲面形状を有していてもよい。すなわち、スクリーン２０において、二次元の曲面形状は、全体に形成されていてもよいし、一部に形成されていてもよい。
【００４７】
本実施形態において、プロジェクター３０を、映像光の光軸がスクリーン２０の軸線と交差するように配置してもよい。例えば、プロジェクター３０を映像光の投射口が上を向くように配置し、スクリーン２０の背面側に４５度の角度でミラーを設置する。そして、プロジェクター３０から投射された映像光をミラーでスクリーン２０側に反射させ、スクリーン２０の背面側から映像光を投射させるように構成してもよい。
【符号の説明】
【００４８】
１    投射型表示装置
１０    筐体
１１    ベゼル部
２０    透過型スクリーン
２１    第１スクリーンシート
２２    第２スクリーンシート
３０    プロジェクター
【図１】
2018025620.tif 000003
【図２】
2018025620.tif 000004
【図３】
2018025620.tif 000005
【図４】
2018025620.tif 000006
【図５】
2018025620.tif 000007
【図６】
2018025620.tif 000008
【図７】
2018025620.tif 000009
【図８】
2018025620.tif 000010